(57)【要約】【課題】小型化を図りつつ、ミストを外部に送風する風の送風量を増大させることが可能な、加熱送風装置を得る。【解決手段】ミスト生成部１１を、収容室９の仮想平面Ｐに対して垂直方向Ｖの両端のいずれか一端側に向かうほど基台２２と底壁６ｆとの距離が短くなるように配置した。よって、空洞９内における基台２２と底壁６ｆとの間の空間９ａを大きくとることができ、かかる空間９ａをミスト放出用の送風流路として利用することができ、ミストを外部に安定して送風することができる。【選択図】図３
2010125164.tif 000002
【特許請求の範囲】
【請求項１】
内部に風洞が設けられた本体部を有する加熱送風装置であって、
前記本体部は、前記風洞の外側に位置し、当該風洞の中心軸を含む仮想平面の両側に形成される収容室と、前記風洞および前記収容室を隔成する底壁と、を備え、
前記収容室内には、基台に設けられてミストを生成するミスト生成部が収容されており、
前記ミスト生成部は、前記収容室の前記仮想平面に対して垂直方向両端のいずれか一端側に向かうほど前記基台と前記底壁との距離が短くなるように配置されていることを特徴とする加熱送風装置。
【請求項２】
前記収容室内には、金属微粒子を生成する金属微粒子生成部が前記ミスト生成部に対して前記垂直方向に並設されていることを特徴とする請求項１に記載の加熱送風装置。
【請求項３】
前記収容室内には、前記風洞の途中から分岐させた分岐流路が形成されるとともに、前記ミスト生成部と前記金属微粒子生成部とが固定部材を介して前記底壁に取り付けられており、
前記固定部材によって、前記分岐流路を流れる風の風向や風量を制御していることを特徴とする請求項２に記載の加熱送風装置。
【発明の詳細な説明】
【技術分野】
【０００１】
本発明は、加熱送風装置に関する。
【背景技術】
【０００２】
従来の加熱送風装置としてのヘアドライヤとして、風洞の外側の収容部にミスト生成部を配置するとともに、風洞から収容部内に送風路を分岐させ、ミスト生成部にて生成されたミストを外部に送風させるようにしたものが知られている（特許文献１）。
【特許文献１】特開２００７−１９０２１１号公報
【発明の開示】
【発明が解決しようとする課題】
【０００３】
この特許文献１の加熱送風装置では、収容部が上方に位置するようにした状態で、ミスト生成部を、基台が収容部の中央部分で水平になるように配置させているため、基台と内筒との間に形成される空間が小さくなってしまい、当該空間を流れ、ミスト生成部にて生成されたミストを外部に送風する風の送風量を十分に確保することができなかった。
【０００４】
また、かかる空間を十分に確保しようとするとミスト生成部を収容する空間（収容室）を大きくせねばならず、装置が大型化してしまう。
【０００５】
そこで、本発明は、小型化を図りつつ、ミストを外部に安定して送風することが可能な、加熱送風装置を得ることを目的とする。
【課題を解決するための手段】
【０００６】
請求項１の発明にあっては、内部に風洞が設けられた本体部を有する加熱送風装置であって、前記本体部は、前記風洞の外側に位置し、当該風洞の中心軸を含む仮想平面の両側に形成される収容室と、前記風洞および前記収容室を隔成する底壁と、を備え、前記収容室内には、基台に設けられてミストを生成するミスト生成部が収容されており、前記ミスト生成部は、前記収容室の前記仮想平面に対して垂直方向両端のいずれか一端側に向かうほど前記基台と前記底壁との距離が短くなるように配置されていることを特徴とする。
【０００７】
請求項２の発明にあっては、請求項１に記載の加熱送風装置において、前記収容室内には、金属微粒子を生成する金属微粒子生成部が前記ミスト生成部に対して前記垂直方向に並設されていることを特徴とする。
【０００８】
請求項３の発明にあっては、請求項２に記載の加熱送風装置において、前記収容室内には、前記風洞の途中から分岐させた分岐流路が形成されるとともに、前記ミスト生成部と前記金属微粒子生成部とが固定部材を介して前記底壁に取り付けられており、前記固定部材によって、前記分岐流路を流れる風の風向や風量を制御していることを特徴とする。
【発明の効果】
【０００９】
請求項１の発明によれば、収容室内における基台と底壁との間の空間を大きくとることができ、かかる空間をミスト放出用の送風流路として利用することができ、ミストを外部に安定して送風することができる。
【００１０】
請求項２の発明によれば、金属微粒子生成部とミスト生成部とを収容室内で並設させる場合において、ミスト生成部を仮想平面に垂直な方向の一端側に向かうほど基台と底壁との距離が短くなるように配置させているため、収容室の上記垂直方向の幅を狭めることが可能となり、金属微粒子およびミストを放出することのできる加熱送風装置の小型化を図ることができる。
【００１１】
請求項３の発明によれば、ミスト生成部と金属微粒子生成部とを底壁に取り付ける固定部材の形状や取り付け位置を適宜設定することで、分岐流路を流れる風の風向や風量を所望量に設定することが可能となる。
【発明を実施するための最良の形態】
【００１２】
以下、本発明の好適な実施形態について図面を参照しながら説明する。
【００１３】
図１は、本実施形態にかかる加熱送風装置としてのヘアドライヤのミスト生成部を取り外した状態での断面図、図２は、ヘアドライヤを出口開口側から見た正面図、図３は、ヘアドライヤの本体部内で金属微粒子生成部とミスト生成部が設けられる部分を出口開口側から見た正面図、図４は、ヘアドライヤの本体部内で金属微粒子生成部とミスト生成部が設けられる部分を出口開口側から見た斜視図、図５は、ヘアドライヤの本体部内で金属微粒子生成部とミスト生成部が設けられる部分を入口開口側から見た斜視図、図６は、収容室内における風の流れを模式的に示した図である。
【００１４】
本実施形態にかかる加熱送風装置としてのヘアドライヤ１は、使用者が手で握る部分としての把持部１ａと、把持部１ａと交差する方向に結合された本体部１ｂとを備えており、使用時には把持部１ａと本体部１ｂとで略Ｔ字状あるいは略Ｌ字状（本実施形態では略Ｔ字状）の外観を呈するように構成されている。把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。先端部１ｄは、本体部１ｂに沿う位置まで折り畳むことができるようになっている。
【００１５】
ヘアドライヤ１の外壁をなすケース３は、複数の分割体を継ぎ合わせて構成されている。ケース３の内部には空洞が形成されており、この空洞内に、各種電気部品が収容されている。
【００１６】
本体部１ｂの内部には、その長手方向（図１の左右方向）の一方側（右側）の入口開口４ａから出口開口４ｂに至る風洞４が形成されており、この風洞４内に収容されたファン５を回転させることによって空気流Ｗが形成される。すなわち、空気流Ｗは、外部から入口開口４ａを介して風洞４内に流入し、当該風洞４内を通って出口開口４ｂから外部に排出される。
【００１７】
また、本体部１ｂにおいて、ケース３の外筒３ａの内部には、略円筒状の内筒６が設けられており、空気流Ｗはこの内筒６の内側を流れるようになっている。内筒６の内側では、最も上流側にファン５が配置され、その下流側にファン５を駆動するモータ７が配置され、モータ７のさらに下流側に加熱機構としてのヒータ８が配置されている。ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００１８】
また、本体部１ｂの内部には、風洞４の外側に位置する収容室としての空洞９が、風洞４の中心軸Ｃを含む仮想平面Ｐの両側（図２において、仮想平面Ｐの左右両側）に設けられており、風洞４と空洞９とが内筒６の上壁（収容室の底壁）６ｆによって隔成されている。
【００１９】
そして、本体部１ｂ内のケース３と内筒６との間に形成される空洞９に、金属微粒子生成部１０や、ミスト生成部１１、ミスト生成部１１に電圧を印加する第二の電圧印加回路１２等が収容されている。また、把持部１ａの根元部１ｃ内の空洞１３には、金属微粒子生成部１０に電圧を印加する第一の電圧印加回路１４や、動作モードの切り換え等を行うスイッチ部１５が収容されている。さらに、把持部１ａの先端部１ｄ内の空洞には、電源のＯＮとＯＦＦとの切り換えや動作モードの切り換え等を行う別のスイッチ部１６が収容されている。これら電気部品同士は、金属導体等からなる芯線を絶縁性樹脂等で被覆したリード線１７によって接続されている。なお、スイッチ部１５，１６は、ケース３の表面に露出した操作子１８，１９を操作することで、内部接点の開閉状態を切り換えることができるように構成されている。
【００２０】
第一の電圧印加回路１４および第二の電圧印加回路１２は、図１に示すように、把持部１ａ内、または本体部１ｂ内で把持部１ａの延長線上となる領域に配置するのが好適である。使用者が把持部１ａを持ったときに、第一の電圧印加回路１４および第二の電圧印加回路１２に作用する重力による回転モーメント（モーメントアーム）を小さくして、使用者の手に作用する負荷を小さくするためである。
【００２１】
また、図１に示すように、本実施形態では、これら第一の電圧印加回路１４および第二の電圧印加回路１２を、内筒６を挟んで相互に反対側となる位置に配置している。すなわち、第一の電圧印加回路１４と第二の電圧印加回路１２との間に内筒６を介在させることで、第一の電圧印加回路１４と第二の電圧印加回路１２との相互干渉による電圧の低下や不安定化等の不具合を抑制している。
【００２２】
内筒６は、筒状部６ａと、筒状部６ａから径方向外側に向けて伸びて周方向に分散して配置された複数の支持リブ６ｂ（図１では一箇所のみ図示）と、支持リブ６ｂを介して筒状部６ａに接続され当該筒状部６ａの軸方向と略直交する方向に張り出すフランジ部６ｃと、を有している。筒状部６ａとフランジ部６ｃとの間には間隙ｇ１が形成されており、この間隙ｇ１を介して空洞９内に空気流Ｗの一部が分岐されて流入し、分岐流Ｗｐが形成されている。すなわち、本実施形態では、空洞９が分岐流路として機能している。なお、分岐流Ｗｐの空洞９内への導入口となる間隙ｇ１は、ファン５の下流でありかつヒータ８の上流側となる位置に設けられている。したがって、分岐流Ｗｐは、ヒータ８によって加熱される前の、比較的冷たい空気流となる。
【００２３】
なお、金属微粒子生成部１０に繋がるリード線と、ミスト生成部１１に繋がるリード線とは、相互に交叉させることなく極力離間させて配索するのが好適である。各リード線を流れる電流の相互干渉によって、金属微粒子生成部１０あるいはミスト生成部１１で所望の電圧が得られなくなったり、電圧が不安定になったりするのを抑制するためである。
【００２４】
ケース３には、図２に示すように、空洞９の出口開口４ｂ側となる位置に、楕円形の貫通孔３ｂが形成されており、この貫通孔３ｂを絶縁性の合成樹脂材料からなるカバー２０で塞いである。カバー２０には、金属微粒子排出口２０ａとミスト排出口２０ｂとが形成されている。カバー２０は、金属微粒子あるいはミストによる帯電を抑制するため、ケース３よりも導電性を低くするのが好適である。カバー２０が帯電すると、その電荷によって、金属微粒子生成部１０やミスト生成部１１から電荷を帯びた金属微粒子やミストが放出されにくくなるからである。なお、この部分では、カバー２０がヘアドライヤ１の外壁を成している。
【００２５】
金属微粒子生成部１０は、導電性を有する金属材料によって形成される放電極１０ａおよびグラウンド電極１０ｂを有しており、これら放電極１０ａとグラウンド電極１０ｂとの間に第一の電圧印加回路１４によって高電圧を印加して放電（コロナ放電等）を生じさせ、その放電作用によって放電極１０ａやグラウンド電極１０ｂ等から金属微粒子（金属の分子やイオン等）を放出させるものである。
【００２６】
この金属微粒子生成部１０は、箱状の筐体１０ｃを備えており、放電極１０ａは、筐体１０ｃ内で、当該筐体１０ｃに固定された基台部（例えばプリント基板等、図示せず）に、例えばはんだ付けやかしめ等によって固定されている。
【００２７】
放電極１０ａは、極細の線材として構成することができ、その幅（直径）を、１０〜４００［μｍ］（好適には３０〜３００［μｍ］、より一層好適には５０〜２００［μｍ］）に設定することができる。その場合、断面形状としては、円形、楕円形、多角形形状等、各種採用することができる。なお、放電極１０ａは、尖端を有する針状に形成してもよい。
【００２８】
グラウンド電極１０ｂは、例えば、放電極１０ａの先端側に離間させて当該放電極１０ａの延伸方向と略直交して配置される環状かつ板状の部材として設けることができる。
【００２９】
また、放電極１０ａは、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部１０で生成され放出された金属の微粒子に、金や、銀、銅、亜鉛等が含まれている場合、当該金属の微粒子によって抗菌作用を生じさせることができる。また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。なお、金属微粒子の放出をさせない部分（例えばグラウンド電極１０ｂ等）は、ステンレススチールや、タングステン等を用いて構成することができる。
【００３０】
また、金属微粒子生成部１０は、放電作用によってイオン（例えばマイナスイオン、例えばＮＯ２−、ＮＯ３−等）を生じさせ、このイオンを、放電極１０ａや、グラウンド電極１０ｂ、他の金属材料や金属成分を含む部材等に衝突させることで、金属微粒子を生成するものであってもよい。すなわち、グラウンド電極１０ｂや上記他の部材を、上記遷移金属を含む材料によって構成し、これらから金属微粒子を放出させるようにしてもよい。
【００３１】
ミスト生成部１１は、導電性を有する金属材料によって形成される放電極１１ａおよびグラウンド電極１１ｂを有しており、これら放電極１１ａとグラウンド電極１１ｂとの間に第二の電圧印加回路１２によって高電圧を印加することで放電（コロナ放電等）を生じさせるものである。具体的には、例えば、放電極１１ａは針状に形成し、グラウンド電極１１ｂは放電極１１ａの先端側に離間配置した環状かつ板状の部材として形成することができる。また、ミスト生成部１１は、冷却機構としてのペルチェ素子（図示せず）および熱伝導性を有する部材（例えば金属部材等）からなる冷却板とを含んでおり、ペルチェ素子によって冷却された冷却板の表面に空気中の水分を結露させ、結露水を生じるようになっている。そして、ミスト生成部１１の上流側には、冷却板を冷却する際に発生する熱量を放熱する放熱フィン１１ｃが設けられている。かかる構成では、供給された水、すなわち結露水が、放電作用によって微粒化され、ナノメータサイズの非常に細かいミスト（マイナスイオンを含むマイナスに帯電されたミスト）が生成される。本実施形態では、ペルチェ素子および冷却板が水供給部に相当する。
【００３２】
そして、ミスト生成部１１はプリント基板（基台部）２２に、例えばはんだ付けやかしめ等によって固定されており、このプリント基板２２を内筒６の上壁６ｆから突設された固定リブ（固定部材）６ｇに載置することで、内筒６の上方に固定されている。
【００３３】
なお、固定リブ６ｇの形状や突出位置を様々に設定することで、空洞（分岐流路）９を流れる風の風向や風量を所望の量とすることが可能である。すなわち、固定リブ６ｇは、空洞（分岐流路）９を流れる風の風向や風量を制御する制御手段として利用することができる。
【００３４】
さらに、本実施形態では、このミスト生成部１１は、空洞９の仮想平面Ｐに対して垂直方向Ｖの両端のいずれか一端側（図２の右側）に向かうほどプリント基板２２と内筒６の上壁６ｆとの距離が短くなるように配置されている。
【００３５】
すなわち、図２に示すように、プリント基板２２は、把持部１ａが下側に位置するとともに本体部１ｂが上側に位置するように配置したヘアドライヤ１を出口開口４ｂ側からみた状態で、水平面に対して一端側（図２の右側）が下方に傾斜するように固定されている。このように、プリント基板２２を傾斜させることで、間隙ｇ１から空洞９内に流入した分岐流Ｗｐを、プリント基板２２の放熱フィン１１ｃ側を流れる分岐流Ｗｐ１と、プリント基板２２と内筒６の上壁６ｆとの間の空間９ａを流れる分岐流Ｗｐ２とに分岐させている。そして、分岐流Ｗｐ１を主に放熱用として利用するとともに、分岐流Ｗｐ２を主としてミスト送風用に利用している。また、プリント基板２２と内筒６の上壁６ｆとの間の空間９ａが広くすることで、ミスト送風用の風をより多く確保し、ミスト送風の安定化を図っている。
【００３６】
さらに、本実施形態では、金属微粒子生成部１０およびミスト生成部１１は、空洞９内で垂直方向Ｖに並列に配置されている。
【００３７】
なお、金属微粒子生成部１０およびミスト生成部１１ともに、イオンを発生させるイオン発生部に相当するものであり、ミスト生成部としては、水を加熱してスチームを発生させるスチーム発生機構を搭載してもよいし、金属微粒子生成部としては、金属の溶液を霧化して金属微粒子を生成する金属溶液霧化機構を搭載してもよい。
【００３８】
また、本実施形態では、図２に示すように、金属微粒子排出口２０ａを、ミスト排出口２０ｂより小さく形成してある。すなわち、ミスト排出口２０ｂを介してのミスト生成部１１のメンテナンスや状態の確認等をより容易に行わせるとともに、金属微粒子排出口２０ａを介しての手指や、道具、異物等の誤進入を抑制してある。
【００３９】
さらに、本実施形態にかかるヘアドライヤ１は、発光部２１を備えている。発光部２１は、空洞９内に配置されたＬＥＤ（発光ダイオード）等の光源２１ａと、光源２１ａの光を導光するアクリル等の透光性を有する合成樹脂材料で形成される導光部材２１ｂと、を有している。図２に示すように、カバー２０の、金属微粒子排出口２０ａとミスト排出口２０ｂとの間には、縦長の長円状の孔２０ｃが形成されており、導光部材２１ｂの光源２１ａと反対側の出射端部２１ｃが、この孔２０ｃに嵌挿されて、カバー２０の外に露出している。したがって、光源２１ａの光は導光部材２１ｂによって導光され、出射端部２１ｃからカバー２０の外に出射される。かかる構成では、ヘアドライヤ１の使用時には、出射端部２１ｃが使用者の頭部に対向して配置されることになる。
【００４０】
この発光部２１は、ヘアドライヤ１の動作モードの表示手段として利用することができる。例えば、ヒータ８を使用していて温風が吹き出されている状態では赤色、ヒータ８を使用せず冷風が吹き出されている状態では緑色、金属微粒子生成部１０が稼動していて金属微粒子が放出されている状態では黄色、ミスト生成部１１が稼動していてミストが放出されている状態では青色、など、動作状態に応じて色を変化させるようにすることができる。この場合、例えば第二の電圧印加回路１２等と同じ基板上に実装された制御回路（図示せず）が各部の動作状態に応じて光源２１ａの発光を制御することができる。この場合、各色に対応する光源２１ａが複数実装され、制御回路がこれら複数の光源２１ａの発光を制御することになる。なお、制御回路によって光源２１ａを点滅させたり、その点滅間隔を制御したり、発光強度を変化させたりすることも可能であり、これら発光形態を、種々の動作モードに対応づけて設定することも可能である。
【００４１】
また、発光部２１からの光によって、人体に所定の効果を与えることも可能である。例えば、光源２１ａとして波長４１５［ｎｍ］の高輝度ＬＥＤを用いた場合には、当該光源２１ａから出射される青色光により、細菌の破壊による殺菌効果や、毛孔の縮小や皮脂の分泌低下等によるざ瘡（にきび）の予防効果などが得られることが確認されている。また、光源２１ａとして波長６３０［ｎｍ］程度の高輝度ＬＥＤを用いた場合には、当該光源２１ａから出射される赤色光により、血行促進、血管新生による新陳代謝の活性、コラーゲンやエラスチンの生成を促進するなどの効果が得られることが確認されている。さらに、赤色光の照射回数を重ねた場合には、小じわ、しみ、くすみ、開大毛孔などの光老化皮膚やざ瘡後の瘢痕の改善に有効であることが確認されている。なお、これらの効果は、人によって異なるものとなる。
【００４２】
さらに、発光部２１を、金属微粒子生成部１０あるいはミスト生成部１１を照らす照射手段として利用することができる。こうすれば、金属微粒子生成部１０やミスト生成部１１の状態を視認しやすくなるとともに、掃除等のメンテナンスを行う場合にも視認性が高まって作業効率が向上するという効果が得られる。
【００４３】
ところで、本実施形態にかかる加熱送風装置としてのヘアドライヤ１は、金属微粒子生成部１０およびミスト生成部１１を同じ空洞９内に収容しているのであるが、ミスト生成部１１で生じたミストが金属微粒子生成部１０に到達すると、金属微粒子生成部１０が帯電して電圧や電界が変化して金属微粒子の生成が不安定化したり、金属微粒子生成部１０の金属部分が水分によって腐食したりする虞がある。
【００４４】
そのため、金属微粒子生成部１０を、金属微粒子排出口２０ａに比較的近い位置で、当該金属微粒子排出口２０ａに対向させて配置し、ミスト生成部１１を、ミスト排出口２０ｂに比較的近い位置で、当該ミスト排出口２０ｂに対向させて配置している。そして、間隙ｇ１から流入した分岐流Ｗｐを、金属微粒子排出口２０ａおよびミスト排出口２０ｂから外部に排出している。
【００４５】
したがって、本実施形態では、金属微粒子生成部１０で生成された金属微粒子は、比較的スムーズに金属微粒子排出口２０ａから排出されるとともに、ミスト生成部１１で生成されたミストは、比較的スムーズにミスト排出口２０ｂから排出される。すなわち、金属微粒子生成部１０で生成された金属微粒子はミスト生成部１１側には流れにくく、かつミスト生成部１１で生成されたミストは金属微粒子生成部１０側には流れにくい構成となっている。なお、分岐流Ｗｐは、金属微粒子およびミストの排出に貢献しているが、分岐流Ｗｐが無い場合でも、金属微粒子およびミストは対応する排出口２０ａ，２０ｂから排出される。
【００４６】
さらに、本実施形態では、導光部材２１ｂと、金属微粒子生成部１０を内筒６に取り付ける取付部材（固定部材）６ｄとを、固定リブ６ｇと同様に、空洞（分岐流路）９を流れる風の風向や風量を制御する制御手段として利用している。
【００４７】
導光部材２１ｂは、板状に形成され、その厚み方向が内筒６の周方向に沿う姿勢で、金属微粒子生成部１０の放出端部側とミスト生成部１１の放出端部側との間に配置されており、空洞９内で、金属微粒子通過領域側と、ミスト通過領域側とを区画する遮蔽壁となっている。すなわち、導光部材２１ｂによって、分岐流Ｗｐ２は金属微粒子排出口２０ａに向かう流れとミスト排出口２０ｂに向かう流れとに分岐することになる。
【００４８】
取付部材６ｄは、内筒６の筒状部６ａから径外方向に向けて突設されており、金属微粒子生成部１０を内筒６に取り付ける部材である。そして、金属微粒子生成部１０側から金属微粒子排出口２０ａ側に向けて延びる遮蔽壁部６ｅを設けることで、空洞（分岐流路）９を流れる風の風向や風量を制御している。
【００４９】
なお、取付部材６ｄの遮蔽壁部６ｅとカバー２０との間には間隙が設けられており、カバー２０に滞留した電荷が遮蔽壁部６ｅを介して金属微粒子生成部１０側へ到来して金属微粒子生成部１０における金属微粒子の生成を阻害するのを抑制してある。また、間隙を設けるのに替えて、取付部材６ｄとカバー２０との間に導電性の低いあるいは絶縁性の部材を介在させてもよい。
【００５０】
そして、これら導光部材２１ｂおよび取付部材６ｄは、遮蔽壁としても機能しており、空洞９内で並列にミストが通過する方向と略平行に配置することで、二重の遮蔽壁となってミストが金属微粒子生成部１０に到達するのを効果的に抑制している。
【００５１】
以上、説明したように、本実施形態では、ミスト生成部１１を、空洞（収容室）９の仮想平面Ｐに対して垂直方向Ｖの両端のいずれか一端側に向かうほどプリント基板（基台）２２と内筒６の上壁（底壁）６ｆとの距離が短くなるように配置した。よって、空洞９内におけるプリント基板２２と上壁６ｆとの間の空間９ａを大きくとることができ、かかる空間９ａをミスト放出用の送風流路として利用することができ、ミストを外部に安定して送風することができる。
【００５２】
また、ミスト生成部１１を仮想平面Ｐに垂直な方向Ｖの一端側に向かうほどプリント基板２２と上壁６ｆとの距離が短くなるように配置させているため、金属微粒子生成部１０とミスト生成部１１とを空洞９内で並設させる場合に、空洞９の垂直方向Ｖの幅を狭めることが可能となり、金属微粒子およびミストを放出することのできるヘアドライヤ（加熱送風装置）１の小型化を図ることができる。
【００５３】
また、ミスト生成部１１と金属微粒子生成部１０とを内筒６の上壁（底壁）６ｆに取り付ける固定リブ（固定部材）６ｇの形状や取り付け位置を適宜設定することで、空洞（分岐流路）９を流れる風の風向や風量を所望量に設定することが可能となる。
【００５４】
以上、本発明の好適な実施形態について説明したが、本発明は上記実施形態には限定されず、種々の変形が可能である。例えば、金属微粒子生成部およびミスト生成部は、上記実施形態と左右逆転して配置することができる。また、ミスト生成部の取付部材に遮蔽壁部を一体化させてもよい。また、排出口をケースと別体のカバーに設けることは必須ではなく、排出口をケースに設けてもよい。
【図面の簡単な説明】
【００５５】
【図１】本発明の一実施形態にかかる加熱送風装置としてのヘアドライヤのミスト生成部を取り外した状態での断面図である。
【図２】本発明の一実施形態にかかる加熱送風装置としてのヘアドライヤを出口開口側から見た正面図である。
【図３】本発明の一実施形態にかかる加熱送風装置としてのヘアドライヤの本体部内で金属微粒子生成部とミスト生成部が設けられる部分を出口開口側から見た正面図である。
【図４】本発明の一実施形態にかかる加熱送風装置としてのヘアドライヤの本体部内で金属微粒子生成部とミスト生成部が設けられる部分を出口開口側から見た斜視図である。
【図５】本発明の一実施形態にかかる加熱送風装置としてのヘアドライヤの本体部内で金属微粒子生成部とミスト生成部が設けられる部分を入口開口側から見た斜視図である。
【図６】本発明の一実施形態にかかる加熱送風装置としてのヘアドライヤの収容室内における風の流れを模式的に示した図である。
【符号の説明】
【００５６】
１  ヘアドライヤ（加熱送風装置）
１ｂ  本体部
３  ケース（外壁）
６ｆ  上壁（収容部の底壁）
６ｇ  固定リブ（固定部材）
９  空洞（収容部）
１０  金属微粒子生成部
１１  ミスト生成部
２０  カバー（外壁）
２２  プリント基板（基台）
Ｃ  中心軸
Ｐ  仮想平面
Ｖ  垂直方向
【図１】
2010125164.tif 000003
【図２】
2010125164.tif 000004
【図３】
2010125164.tif 000005
【図４】
2010125164.tif 000006
【図５】
2010125164.tif 000007
【図６】
2010125164.tif 000008